(57)【要約】【課題】サブ画面が表示された場合に接触入力するユーザの操作負担を軽減させ、円滑に接触入力を継続させることを課題とする。【解決手段】情報表示装置が、メイン画面内にサブ画面を表示し、サブ画面の表示位置とサブ画面よりも大きな領域を持つ近傍領域の情報とを含む表示情報を記憶する。接触位置を入力する位置入力装置が、接触位置の情報を取得し、取得された複数の接触位置の情報を含む接触履歴情報を記憶し、接触位置が近傍領域の中に存在するか否かを判定する接触位置判定部と、新たに取得された接触位置が近傍領域の中に存在すると判定された場合に、接触履歴情報を利用して、サブ画面を縮小または移動する位置を決定する表示位置決定部とを備える。サブ画面が縮小されたことがない場合は決定された縮小位置にサブ画面を縮小させ、サブ画面が縮小されたことがある場合は決定された移動位置にサブ画面を移動させる。【選択図】図５
2018159843.tif 000002
【特許請求の範囲】
【請求項１】
接触された位置の情報を入力する位置入力装置と、情報を表示する情報表示装置とからなり、前記位置入力装置と前記情報表示装置とが重ね合わせて配置された入力機能付き表示装置であって、
前記情報表示装置が、
第１表示画面を表示し、前記第１表示画面の表示領域内に第２表示画面を表示する表示パネルと、
第２表示画面の表示位置と、第２表示画面を含み第２表示画面よりも大きな領域を持つ近傍領域の情報とを含む表示情報を記憶した第１記憶部と、
第２表示画面を縮小させる縮小処理部と、
第２表示画面を移動させる移動処理部とを備え、
前記位置入力装置が、
接触された位置の情報を取得する接触検出部と、
取得された複数の接触位置の情報を含む接触履歴情報を記憶した第２記憶部と、
前記取得された接触位置が、前記表示情報によって特定される近傍領域の中に存在するか否かを判定する接触位置判定部と、
前記接触位置判定部によって、新たに取得された接触位置が、前記近傍領域の中に存在すると判定された場合に、前記接触履歴情報を利用して、前記第２表示画面を縮小および移動する位置を決定する表示位置決定部とを備え、
前記第２表示画面が縮小されたことがない場合は、前記縮小処理部が、前記決定された縮小位置に、第２表示画面を縮小させて表示させ、
前記第２表示画面が縮小されたことがある場合は、前記移動処理部が、前記決定された移動位置に、第２表示画面を移動させて表示させることを特徴とする入力機能付き表示装置。
【請求項２】
前記情報表示装置が、前記第１記憶部に記憶された表示情報を、前記位置入力装置に送信する第１通信部を備え、
前記位置入力装置が、前記表示情報を受信する第２通信部を備え、
前記第２通信部が、前記表示位置決定部によって決定された第２表示画面を縮小する位置の情報および移動する位置の情報のうち、少なくともいずれか一方を、前記情報表示装置に送信することを特徴とする請求項１に記載の入力機能付き表示装置。
【請求項３】
前記表示位置決定部は、前記接触履歴情報に含まれる複数の接触位置の情報から、今後接触される位置の進行方向を予測し、接触位置の進行方向とは異なる位置を、所定の大きさに縮小した第２表示画面を表示する位置に決定することを特徴とする請求項１に記載の入力機能付き表示装置。
【請求項４】
前記縮小処理部は、前記決定された縮小位置に、第２表示画面を、段階的に、複数回縮小させて表示させることを特徴とする請求項１に記載の入力機能付き表示装置。
【請求項５】
前記表示位置決定部は、前記接触履歴情報に含まれる複数の接触位置の情報から、今後接触される位置の進行方向を予測し、接触位置の進行方向とは異なる位置を、第２表示画面を移動する位置に決定することを特徴とする請求項１に記載の入力機能付き表示装置。
【請求項６】
前記表示位置決定部は、前記接触履歴情報に含まれる複数の接触位置の情報を利用して、第１表示画面の表示領域のうち、接触が開始された後今までに接触されたことのない領域が存在することを確認した場合は、前記接触されたことのない領域を、第２表示画面を移動する位置に決定することを特徴とする請求項１に記載の入力機能付き表示装置。
【請求項７】
前記近傍領域は、前記第２表示画面の表示領域の周囲に、所定の距離だけ大きな幅を有する領域であることを特徴とする請求項１に記載の入力機能付き表示装置。
【請求項８】
前記第１記憶部に、前記第２表示画面が最初に表示された表示位置を示す初期位置情報を記憶し、
前記第２表示画面が縮小または移動された後に、所定時間以上、前記接触検出部によって、接触位置の情報が取得されなくなった場合に、前記第２表示画面を、前記初期位置情報を利用して、前記第２表示画面が最初に表示されていた表示位置に戻すことを特徴とする請求項１に記載の入力機能付き表示装置。
【発明の詳細な説明】
【技術分野】
【０００１】
この発明は、入力機能付き表示装置に関し、特に、１つの表示装置に複数の表示画面を表示するマルチウインドウ表示機能を有し、指やペン等で表示画面に接触することにより、文字等の入力および表示が可能な入力機能付き表示装置に関する。
【背景技術】
【０００２】
従来から、１つの表示装置の表示パネルに、異なる画像をそれぞれ表示した複数の表示画面を、同時に一部を重畳させて表示させる画像表示技術（ピクチャーインピクチャー機能）が利用されている。たとえば、表示パネルのメイン画面全体に、１つの画像Aを表示させ、表示された画像Aの一部分の表示領域の上に重ねて、別の画像Bを表示したサブ画面を表示させる。
【０００３】
また、ペンや指で接触された位置を検出する位置入力装置であるタッチパネルと表示画面とを重ねて配置し、接触された位置の表示画面に、接触入力された文字や図形等を表示させる入力機能付き表示装置も利用されている。
【０００４】
このようなピクチャーインピクチャー機能を有し、タッチパネルを備えた表示装置において、複数の表示画面が表示された状態で、ユーザがペンを用いて文字等をメイン画面に入力している場合、メイン画面の一部に重ねて表示されているサブ画面が邪魔になる場合がある。
サブ画面が表示されている表示領域に入力をしたい場合は、ユーザは、ペンによる入力を中断し、所定の操作をしてサブ画面を移動または消去させて、サブ画面が表示されていた部分の領域が見えるようにした後、中断した位置からペンによる入力を再開するという一連の処理をする必要があった。
【０００５】
上記のユーザが行う一連の処理は時間がかかり操作も面倒であるため、座標入力ペンの指示位置がサブ画面である画像B内に入った場合に、そのサブ画面を、自動的に透明化または半透明化する装置が提案されている（特許文献１参照）
また、表示画面に表示されているカーソルやポインタの位置が、サブ画面（サブウインドウ）の存在するセグメント位置に重なった場合や、サブ画面（第２画像）の表示位置とカーソル位置との距離が所定の閾値未満となった場合に、自動的に、サブ画面の表示位置を移動させたり、サブ画面を消去したり、サブ画面を透明化したりする装置が提案されている（特許文献２，３参照）。
【先行技術文献】
【特許文献】
【０００６】
【特許文献１】特開２００６−２４４０７８号公報
【特許文献２】特開２０１２−８６２８号公報
【特許文献３】特開平８−３１４６８１号公報
【発明の概要】
【発明が解決しようとする課題】
【０００７】
しかし、従来のように、サブ画面を移動等するのに、面倒な一連の処理が必要な場合は、文字等の入力操作が一旦中断されるので、たとえば、表示内容に文字等を書き加えながらプレゼンテーションを行っている場合には、プレゼンテーションをしているユーザの操作負担が大きく、円滑な文字等の入力や表示内容の説明をすることができない。
【０００８】
また、自動的にサブ画面を移動等するものでは、それまで接触入力された文字等の表示位置や接触入力された線分の軌跡や接触方向が考慮されていないので、サブ画面の移動先が適切な位置でない場合もあり、カーソルやペン等の位置がサブ画面に重なることによって、いきなりサブ画面を別の位置に移動したり、透明化したりすることが、入力操作をしている者や表示画面を見ている者にとって、適切でない場合もある。
【０００９】
そこで、この発明は、以上のような事情を考慮してなされたものであり、過去に入力された接触位置の履歴を利用して、サブ画面を表示する大きさと位置を決定し、ユーザが、表示された内容を見ながら、より円滑に文字等の入力を継続することのできる入力機能付き表示装置を提供することを課題とする。
【課題を解決するための手段】
【００１０】
この発明は、接触された位置の情報を入力する位置入力装置と、情報を表示する情報表示装置とからなり、前記位置入力装置と前記情報表示装置とが重ね合わせて配置された入力機能付き表示装置であって、前記情報表示装置が、第１表示画面を表示し、前記第１表示画面の表示領域内に第２表示画面を表示する表示パネルと、第２表示画面の表示位置と、第２表示画面を含み第２表示画面よりも大きな領域を持つ近傍領域の情報とを含む表示情報を記憶した第１記憶部と、第２表示画面を縮小させる縮小処理部と、第２表示画面を移動させる移動処理部とを備え、前記位置入力装置が、接触された位置の情報を取得する接触検出部と、取得された複数の接触位置の情報を含む接触履歴情報を記憶した第２記憶部と、前記取得された接触位置が、前記表示情報によって特定される近傍領域の中に存在するか否かを判定する接触位置判定部と、前記接触位置判定部によって、新たに取得された接触位置が、前記近傍領域の中に存在すると判定された場合に、前記接触履歴情報を利用して、前記第２表示画面を縮小および移動する位置を決定する表示位置決定部とを備え、前記第２表示画面が縮小されたことがない場合は、前記縮小処理部が、前記決定された縮小位置に、第２表示画面を縮小させて表示させ、前記第２表示画面が縮小されたことがある場合は、前記移動処理部が、前記決定された移動位置に、第２表示画面を移動させて表示させることを特徴とする入力機能付き表示装置を提供するものである。
【００１１】
また、前記情報表示装置が、前記第１記憶部に記憶された表示情報を、前記位置入力装置に送信する第１通信部を備え、前記位置入力装置が、前記表示情報を受信する第２通信部を備え、前記第２通信部が、前記表示位置決定部によって決定された第２表示画面を縮小する位置の情報および移動する位置の情報のうち、少なくともいずれか一方を、前記情報表示装置に送信することを特徴とする。
【００１２】
また、前記表示位置決定部は、前記接触履歴情報に含まれる複数の接触位置の情報から、今後接触される位置の進行方向を予測し、接触位置の進行方向とは異なる位置を、所定の大きさに縮小した第２表示画面を表示する位置に決定することを特徴とする。
【００１３】
また、前記縮小処理部は、前記決定された縮小位置に、第２表示画面を、段階的に、複数回縮小させて表示させることを特徴とする。
【００１４】
また、前記表示位置決定部は、前記接触履歴情報に含まれる複数の接触位置の情報から、今後接触される位置の進行方向を予測し、接触位置の進行方向とは異なる位置を、第２表示画面を移動する位置に決定することを特徴とする。
【００１５】
また、前記表示位置決定部は、前記接触履歴情報に含まれる複数の接触位置の情報を利用して、第１表示画面の表示領域のうち、接触が開始された後今までに接触されたことのない領域が存在することを確認した場合は、前記接触されたことのない領域を、第２表示画面を移動する位置に決定することを特徴とする。
【００１６】
また、前記近傍領域は、前記第２表示画面の表示領域の周囲に、所定の距離だけ大きな幅を有する領域であることを特徴とする。
【００１７】
また、前記第１記憶部に、前記第２表示画面が最初に表示された表示位置を示す初期位置情報を記憶し、前記第２表示画面が縮小または移動された後に、所定時間以上、前記接触検出部によって、接触位置の情報が取得されなくなった場合に、前記第２表示画面を、前記初期位置情報を利用して、前記第２表示画面が最初に表示されていた表示位置に戻すことを特徴とする。
【発明の効果】
【００１８】
この発明によれば、接触位置判定部によって、新たに取得された接触位置が近傍領域の中に存在すると判定された場合に、接触履歴情報を利用して、表示位置決定部が、第２表示画面を縮小または移動する位置を決定し、第２表示画面が縮小されたことがない場合は、縮小処理部が決定された縮小位置に第２表示画面を縮小させて表示させ、第２表示画面が縮小されたことがある場合は、移動処理部が決定された移動位置に第２表示画面を移動させて表示させるので、第２表示画面を表示させた状態で、ユーザが接触入力する場合に、第２表示画面がユーザの入力操作の邪魔になる可能性を減らし、ユーザの情報の入力作業の迅速化を図り、ユーザの入力操作を中断することがなく、ユーザの接触入力を円滑に継続させ、ユーザの操作負担を軽減させることができる。
【図面の簡単な説明】
【００１９】
【図１】この発明の入力機能付き表示装置の一実施例の概略構成図である。
【図２】この発明の入力機能付き表示装置における位置入力装置（タッチパネル）の一実施例の構成ブロック図である。
【図３】この発明の情報表示装置の一実施例の構成ブロック図である。
【図４】この発明の入力機能付き表示装置における表示画面と接触位置の概略説明図である。
【図５】第２表示画面（サブ画面）の表示位置と接触履歴との関係に基づく第２表示画面の縮小処理の一実施例の説明図である。
【図６】第２表示画面（サブ画面）の表示位置と接触履歴との関係に基づく第２表示画面の移動処理の一実施例の説明図である。
【図７】接触履歴に基づいて、第２表示画面（サブ画面）を縮小した後の表示位置の一実施例の説明図である。
【図８】接触履歴に基づいて、第２表示画面（サブ画面）を縮小した後の表示位置の一実施例の説明図である。
【図９】接触履歴に基づいて、第２表示画面（サブ画面）を縮小した後の表示位置の一実施例の説明図である。
【図１０】接触履歴に基づいて、第２表示画面（サブ画面）を移動した後の表示位置の一実施例の説明図である。
【図１１】接触履歴に基づいて、第２表示画面（サブ画面）を移動した後の表示位置の一実施例の説明図である。
【図１２】この発明の位置入力装置（タッチパネル）におけるサブ画面の縮小処理等の一実施例のフローチャートである。
【図１３】この発明の位置入力装置（タッチパネル）におけるサブ画面の縮小処理等の一実施例のフローチャートである。
【図１４】この発明の情報表示装置におけるサブ画面の縮小処理等の一実施例のフローチャートである。
【発明を実施するための形態】
【００２０】
以下、図面を使用して本発明の実施の形態を説明する。なお、以下の実施例の記載によって、この発明が限定されるものではない。
＜入力機能付き表示装置の概略構成＞
図１に、この発明の入力機能付き表示装置の一実施例の概略構成図を示す。
図１において、この発明の入力機能付き表示装置１は、主として、位置入力装置２０と、情報表示装置５０とから構成される。また、位置入力装置２０と情報表示装置５０とは重ね合わせて配置される。たとえば、タブレット端末、スマートフォン、電子黒板、ノートPCなどが、入力機能付き表示装置に相当する。
【００２１】
また、図１（a）に示すように、入力機能付き表示装置１は、パソコンなどの情報処理装置２（以下、ＰＣとも呼ぶ）と接続され、情報処理装置２からの要求に基づいて、情報処理装置２から与えられる画像情報を情報表示装置５０に表示し、入力ペンや指などによって接触された位置の情報を、位置入力装置２０から情報処理装置２に送信する。
【００２２】
位置入力装置２０は、入力ペンや指などによって接触された位置の情報を入力する装置であり、以下、タッチパネルＴＰとも呼ぶ。
タッチパネルＴＰは、図１（b）に示すように、情報表示装置５０に重ねて配置され、かつ入力ペン等によって接触された位置の情報を入力するものであり、接触位置の座標を示す信号が出力される。
【００２３】
この接触位置の座標を示す信号に基づいて、後述するような接触位置の履歴を示す情報（接触履歴情報）が記憶される。
また、接触位置の座標を示す信号は、情報処理装置２に与えられる。
接触された位置を検出する方法としては、たとえば、静電容量方式、赤外線遮断方式、赤外線カメラ方式、電磁誘導方式、表面弾性波方式、抵抗膜方式などがあるが、いずれの方式を用いてもよい。
【００２４】
情報表示装置５０は、情報を表示する装置（以下、単に、表示装置、又はＤＳとも呼ぶ）であり、主として、情報を表示する表示パネルと、情報処理装置２から画像の表示要求信号を受信して、画像の表示要求信号に基づいて表示パネルに表示させる情報を生成する制御装置とからなる。表示パネルとしては、たとえば、液晶パネルや、有機ELパネルなどが用いられる。
入力機能付き表示装置１は、別々の構成部品である表示パネルとタッチパネルとを重ね合わせて製造するか、あるいは、表示パネルとタッチパネルとを一体成形して製造する。
【００２５】
入力機能付き表示装置１において、入力ペンでタッチパネルＴＰに接触して線分を引く操作をしたとすると、接触された位置の情報が情報処理装置ＰＣに送信され、ＰＣにおいて、受信した接触位置の情報に基づいて、接触された位置に線分を表示するための表示要求信号が、表示装置ＤＳに送信され、線分を引いた位置と対応する表示画面に、その線分が表示される。
【００２６】
また、図１（c）に示すように、入力機能付き表示装置１は、いわゆるマルチウインドウ表示機能を有する。
表示装置ＤＳ５０の表示画面全体を意味する第１表示画面ＭＤ（メイン画面）１１に、所定の第１画像を表示するとともに、第１表示画面ＭＤ（メイン画面）１１の一部分の表示領域に重ねて、やや小さな表示領域を持つ第２表示画面ＰＩＰ（サブ画面）１２を同時に表示する。この第２表示画面ＰＩＰ（サブ画面）１２には、主として、メイン画面ＭＤに表示される第１画像とは異なる第２画像が表示される。ただし、第２表示画面ＰＩＰ（サブ画面）が表示されている表示領域には、第１表示画面ＭＤ（メイン画面）に表示されている第１画像の一部分が表示されない。
【００２７】
第１表示画面ＭＤ１１と、第２表示画面ＰＩＰ１２に表示される画像は、情報処理装置ＰＣから、表示装置ＤＳ５０に与えられる。
情報処理装置ＰＣは、１台でもよいが、複数台の情報処理装置ＰＣを、入力機能付き表示装置１に接続してもよい。
たとえば、２台の情報処理装置ＰＣを、入力機能付き表示装置１に接続した場合、１台目の情報処理装置ＰＣから与えられる第１画像を、第１表示画面ＭＤ（メイン画面）に表示し、２台目の情報処理装置ＰＣから与えられる第２画像を、第２表示画面ＰＩＰ（サブ画面）に表示してもよい。
また、小さな表示領域を持つ第２表示画面ＰＩＰ（サブ画面）は、１つに限るものではなく、複数の第２表示画面ＰＩＰ（サブ画面）を、同時に表示してもよい。
【００２８】
なお、第２表示画面ＰＩＰ（サブ画面）の表示位置は、図１（c）に示す位置に固定されるものではなく、表示装置ＤＳ５０の表示画面の中であれば、任意の位置に設定できるものとする。また、第２表示画面ＰＩＰ（サブ画面）の表示位置は、情報処理装置ＰＣにより設定されるか、またはユーザの接触入力により、自由に移動できるようにしてもよい。
【００２９】
また、この発明では、後述するように、ユーザが、第１表示画面ＭＤ（メイン画面）の表示領域に対応するタッチパネルＴＰに対して、入力ペン等を接触して、文字等を入力しているときに、第２表示画面ＰＩＰ（サブ画面）が邪魔になる可能性がある場合に、ユーザの接触入力の位置を記憶した接触履歴情報に基づいて、自動的に、第２表示画面ＰＩＰ（サブ画面）を縮小した後、ユーザのその後の接触入力の妨げとならないような位置に、第２表示画面ＰＩＰ（サブ画面）を移動させることを特徴とする。
ただし、第２表示画面ＰＩＰ（サブ画面）を縮小した状態で、その後の接触入力の妨げとならない場合は、必ずしも、第２表示画面ＰＩＰ（サブ画面）を移動させる必要はない。
【００３０】
すなわち、この発明では、接触履歴情報に基づいて、第２表示画面ＰＩＰ（サブ画面）の縮小処理と移動処理とを、２段階で実行することにより、複数の表示画面（マルチウインドウ）を表示している状態でのタッチパネルに対するユーザの入力操作を円滑に継続できるようにし、ユーザの入力操作の負担を軽減させる。
【００３１】
＜位置入力装置（タッチパネル）の構成＞
図２に、この発明の入力機能付き表示装置における位置入力装置（タッチパネル）の一実施例の構成ブロック図を示す。
図２において、この発明の位置入力装置２０（タッチパネルＴＰ）は、主として、入力制御部２１，接触情報送信部２２、通信部２３、表示情報取得部２４、接触検出部２５、接触位置判定部２６、表示位置決定部２７、縮小情報通知部２８、移動情報通知部２９、記憶部３０を備える。
【００３２】
入力制御部２１は、接触検出部などの各構成要素の動作を制御する部分であり、主として、ＣＰＵ、ＲＯＭ、ＲＡＭ、Ｉ／Ｏコントローラ、タイマー等からなるマイクロコンピュータによって実現される。
ＣＰＵは、ＲＯＭ等に予め格納された制御プログラムに基づいて、各種ハードウェアを有機的に動作させて、この発明の位置入力装置２０（タッチパネルＴＰ）の接触検出機能、通信機能などを実行する。
【００３３】
接触情報送信部２２は、入力ペン等によって接触された位置の情報を、ＰＣに送信する部分である。
タッチパネルＴＰ上の位置が、直交するＸＹ座標で表される場合、接触された位置の座標（ｘ、ｙ）が、ＰＣに送信される。
【００３４】
通信部２３は、上記した第２通信部に相当し、表示装置ＤＳと通信する部分である。タッチパネルＴＰで取得した情報や、生成した情報を表示装置ＤＳに送信し、表示装置ＤＳから表示情報を受信する。
たとえば、後述する表示位置決定部２７によって決定されたサブ画面ＰＩＰを縮小する位置の情報および移動する位置の情報のうち、少なくともいずれか一方または両方を、表示装置ＤＳに送信する。ただし、サブ画面ＰＩＰを縮小する場合は、縮小する大きさや位置に関する情報（縮小情報）だけを、表示装置ＤＳに送信してもよい。
【００３５】
表示情報取得部２４は、表示装置ＤＳから送られてきた表示情報を取得する部分である。たとえば、受信した表示情報に含まれるサブ画面位置と近傍領域情報を取得し、記憶部３０に記憶する。
【００３６】
接触検出部２５は、入力ペンや指等によってタッチパネルＴＰが接触されたことを検出し、接触された位置の情報（接触位置座標）を取得する部分である。取得された接触位置の情報は、接触情報送信部２２によってＰＣに送信され、所定の時間間隔で、記憶部３０に、接触履歴情報３１として記憶される。
【００３７】
接触位置判定部２６は、取得された接触位置が、後述する表示情報によって特定される近傍領域やサブ画面ＰＩＰの表示位置の中に存在するか否かを判定する部分である。
近傍領域は、後述する図４に示すような領域である。
たとえば、接触位置の情報（接触位置座標）が、タッチパネルＴＰに対応するサブ画面ＰＩＰの表示領域を示す表示座標の範囲内に含まれる場合、接触位置が、サブ画面ＰＩＰの表示位置の中に存在すると判断する。また、接触位置の情報（接触位置座標）が、タッチパネルＴＰに対応する近傍領域を示す表示座標の範囲内に含まれる場合、接触位置が、近傍領域の中に存在すると判断する。
【００３８】
取得された接触位置が、近傍領域またはサブ画面ＰＩＰの表示位置の中に存在すると判定された場合、後述するする表示位置決定部２７によって、サブ画面ＰＩＰの縮小する位置とサブ画面ＰＩＰを移動する位置を決定する。
また、記憶部３０に記憶されている接触履歴情報３１に基づいて、時間の経過とともに、接触位置が、近傍領域やサブ画面ＰＩＰの表示位置に近づいている場合、接触位置と近傍領域等との距離や、近傍領域等に近づいてくる方向（接触位置の移動方向）を検出してもよい。
【００３９】
表示位置決定部２７は、接触位置判定部２６によって新たに取得された接触位置が、近傍領域またはサブ画面ＰＩＰの表示位置の中に存在すると判定された場合に、記憶部３０に記憶されている接触履歴情報３１を利用して、サブ画面ＰＩＰを縮小する位置と、サブ画面ＰＩＰを移動する位置を決定する部分である。
また、サブ画面ＰＩＰを縮小する大きさおよび表示位置と、サブ画面ＰＩＰを移動する表示位置を直接決定するのではなく、表示装置ＤＳの表示画面全体に対するサブ画面ＰＩＰの配置エリアや移動方向を決定するだけでもよい。
【００４０】
この発明において、サブ画面ＰＩＰの表示位置が、ユーザの接触入力に影響を与える可能性がある場合に、サブ画面ＰＩＰの縮小処理をまず行った後に、サブ画面ＰＩＰの移動処理を行うという２段階の処理をするものとすると、サブ画面ＰＩＰがまだ縮小されたことがない場合は、まず、決定された縮小位置に、サブ画面ＰＩＰを縮小する。すなわち、縮小後のサブ画面ＰＩＰの大きさと、表示位置を決める。
【００４１】
縮小の基準は、予め設定しておけばよいが、たとえば、面積比で最初のサブ画面ＰＩＰの１／４程度に縮小してもよい。あるいは、いくつかの縮小率を予め設定しておき、段階的にサブ画面ＰＩＰを小さくしてもよい。また、縮小率は、ユーザが設定変更できるようにしてもよい。
また、縮小後のサブ画面ＰＩＰを表示する位置は、後述するような基準により、サブ画面ＰＩＰを縮小した後の接触入力に影響を与えないような位置に、決定すればよい。
決定された縮小後のサブ画面ＰＩＰの表示位置と大きさの情報は、後述する縮小情報通知部２８が、縮小情報として、表示装置ＤＳに送信する。
【００４２】
次に、たとえば、サブ画面ＰＩＰが一度縮小されたことがある場合は、決定された移動位置に、サブ画面ＰＩＰを移動する。すなわち、移動後のサブ画面ＰＩＰの表示位置を決める。
また、縮小回数や最大縮小率を予め設定しておき、設定された縮小回数だけ縮小処理をした場合や、最大縮小率の縮小をすでに行っている場合に、サブ画面ＰＩＰを移動するようにしてもよい。
【００４３】
サブ画面ＰＩＰを移動する基準は、予め設定しておけばよいが、後述するような基準により、その後の接触入力に影響を与える可能性が少ない位置に、決定すればよい。
たとえば、表示装置ＤＳの表示画面全体をいくつかの分割領域に分割した場合に、接触履歴情報として記憶されているすべての接触位置が含まれていない分割領域がある場合、その分割領域の中に、サブ画面ＰＩＰを移動するように決定してもよい。
あるいは、接触履歴情報として記憶されている最近のいくつかの接触位置から、現在までの接触位置の移動軌跡や移動方向を算出して、移動軌跡等に基づいて、今後接触される位置の移動方向を予測し、予測した移動方向にない分割領域の中に、サブ画面ＰＩＰを移動するように決定してもよい。
決定された移動後のサブ画面ＰＩＰの表示位置の情報は、後述する移動情報通知部２９が、移動情報として、表示装置ＤＳに送信する。
【００４４】
また、移動後のサブ画面ＰＩＰの大きさは、縮小後のサブ画面ＰＩＰの大きさと同じ大きさとすればよい。ただし、最初のサブ画面ＰＩＰと同じ大きさに戻してもよい。
なお、タッチパネルＴＰでは、表示位置決定部２７が、接触履歴情報に基づいて、縮小判定処理と移動判定処理の両方を実行し、決定した縮小情報と移動情報を表示装置ＤＳに送信してもよい。この場合は、表示装置ＤＳにおいて、サブ画面ＰＩＰの縮小処理をするか、あるいは移動処理をするかを判断する。
【００４５】
縮小情報通知部２８は、表示位置決定部２７によって決定されたサブ画面ＰＩＰの縮小情報を、表示装置ＤＳに送信する部分である。
移動情報通知部２９は、表示位置決定部２７によって決定されたサブ画面ＰＩＰの移動情報を、表示装置ＤＳに送信する部分である。
【００４６】
タッチパネルＴＰ側で、サブ画面ＰＩＰの縮小と移動のどちらをするかを決定する場合は、たとえば、縮小判定をしたことのない場合に、縮小後の位置を決める縮小判定処理をして、サブ画面ＰＩＰの縮小情報のみを表示装置ＤＳに送信し、一度縮小判定をした後は、移動後の位置を決める移動判定処理をして、サブ画面ＰＩＰの移動情報のみを表示装置ＤＳに送信すればよい。
一方、表示装置ＤＳ側で、サブ画面ＰＩＰの縮小と移動のどちらをするかを決定する場合は、タッチパネルＴＰにおいて縮小判定処理と移動判定処理の両方を実行し、サブ画面ＰＩＰの縮小後の位置を設定した縮小情報と、サブ画面ＰＩＰの移動後の位置を設定した移動情報とを、表示装置ＤＳに送信すればよい。
【００４７】
記憶部３０は、上記した第２記憶部に相当し、タッチパネルＴＰの各機能を実行するために必要な情報やプログラムを記憶する部分であり、ＲＯＭ、ＲＡＭ、フラッシュメモリなどの半導体記憶素子、ＨＤＤ、ＳＳＤなどの記憶装置、その他の記憶媒体が用いられる。
ＲＯＭには、プログラムが記憶され、ＲＡＭには、一時的に利用される情報が記憶され、フラッシュメモリなどの不揮発性の書き替え可能な記憶素子には、予め設定される情報が記憶される。
【００４８】
記憶部３０には、たとえば、接触履歴情報３１、縮小情報３２、移動情報３３、表示情報３４が記憶される。
表示情報３４は、表示装置ＤＳから取得されるサブ画面ＰＩＰに関する情報であり、サブ画面位置３５と、近傍領域情報３６を含む情報である。
【００４９】
接触履歴情報３１は、接触検出部２５によって取得された複数の接触位置の情報を含むものであり、タッチパネルＴＰに接触された位置を示す情報（接触位置座標）を、所定期間分だけ記憶したものである。たとえば、１００ミリ秒ごとに取得された接触位置座標を、１０秒前の時刻から現在時刻のまでの期間、履歴として記憶する。あるいは、タッチパネルＴＰに入力ペンが最初に接触された（タッチダウンされた）位置から、タッチパネルＴＰから入力ペンが離された（タッチアップされた）位置までの接触位置座標を、１００ミリ秒間隔で、履歴として記憶してもよい。
【００５０】
縮小情報３２は、サブ画面ＰＩＰを縮小させる場合のサブ画面ＰＩＰに関する情報であり、たとえば、縮小後のサブ画面ＰＩＰの表示位置の情報や、縮小後のサブ画面ＰＩＰに対応した近傍領域の情報が含まれる。
縮小後のサブ画面ＰＩＰの表示位置の情報としては、サブ画面ＰＩＰの表示位置と大きさを特定する座標情報でもよく、表示装置ＤＳの表示画面をいくつかに分割した場合に、縮小後のサブ画面ＰＩＰを表示すべき分割領域を指定するものであってもよい。
【００５１】
近傍領域は、サブ画面ＰＩＰを含みサブ画面ＰＩＰよりも大きな領域である。サブ画面ＰＩＰが、横方向の長さがＷ０で、縦方向の長さがＬ０の長方形形状であった場合、近傍領域は、その中にサブ画面ＰＩＰを含み、サブ画面ＰＩＰの表示領域の周囲に、所定の距離だけ大きな幅を有する長方形形状の領域である。後述する図４(b)に示すように、近傍領域の大きさを横方向の長さがＷ１で、縦方向の長さがＬ１であるとすると、Ｗ１＞Ｗ０、Ｌ１＞Ｌ０である。
【００５２】
この近傍領域は、入力ペン等の接触位置や接触履歴が、サブ画面ＰＩＰの表示位置に近づいてきたことを検出するための領域である。
たとえば、接触検出部２５によって検出された接触位置が、近傍領域内であってサブ画面ＰＩＰの領域の外側であった場合、サブ画面ＰＩＰを縮小する大きさや表示位置が決定され、縮小情報３２が生成される。サブ画面ＰＩＰを縮小する場合、この生成された縮小情報３２に基づいて、縮小されたサブ画面ＰＩＰが、決定された位置に表示される。
【００５３】
移動情報３３は、サブ画面ＰＩＰを移動させる場合のサブ画面ＰＩＰに関する情報であり、たとえば、移動後のサブ画面ＰＩＰの表示位置の情報や、移動後のサブ画面ＰＩＰに対応した近傍領域の情報が含まれる。
移動後のサブ画面ＰＩＰの表示位置の情報としては、サブ画面ＰＩＰの表示位置と大きさを特定する座標情報でもよく、表示装置ＤＳの表示画面をいくつかに分割した場合に、移動後のサブ画面ＰＩＰを表示すべき分割領域を指定するものであってもよい。
【００５４】
接触検出部２５によって検出された接触位置が、近傍領域内であってサブ画面ＰＩＰの領域の外側であった場合、サブ画面ＰＩＰを移動する表示位置が決定され、移動情報３３が生成される。あるいは、記憶された接触位置の履歴が、近傍領域内であってさらにサブ画面ＰＩＰの領域内に入ってきた場合、移動情報３３を生成してもよい。
サブ画面ＰＩＰを移動する場合、この生成された移動情報３３に基づいて、サブ画面ＰＩＰが、決定された移動すべき位置に表示される。
【００５５】
表示情報３４は、上記したように、サブ画面位置３５と、近傍領域情報３６を含む情報である。
サブ画面位置３５は、表示装置ＤＳの表示画面に現在表示されているサブ画面ＰＩＰの表示位置を示す情報（位置座標）である。
近傍領域情報３６は、現在表示されているサブ画面ＰＩＰに対応する近傍領域の位置を示す情報である。
【００５６】
また、現在のサブ画面ＰＩＰの表示位置は、表示装置ＤＳが記憶しているので、表示情報３４は、サブ画面ＰＩＰの縮小または移動など、サブ画面ＰＩＰの大きさや表示位置が変更された場合に、表示装置ＤＳから送信されるものである。ただし、定期的に、表示装置ＤＳから表示情報３４を送信するようにしてもよい。
【００５７】
なお、表示装置ＤＳから送信される表示情報３４には、近傍領域情報３６を含めるものとするが、近傍領域の大きさをタッチパネルＴＰで管理する場合は、近傍領域情報３６を、表示装置ＤＳから送信されてくる表示情報３４に含めなくてもよい。この場合は、タッチパネルＴＰにおいて、表示装置ＤＳから送信されてくるサブ画面位置３５から、近傍領域情報３６を算出すればよい。
【００５８】
図４に、この発明の入力機能付き表示装置における表示画面と接触位置の概略説明図を示す。
図４（a）には、表示装置ＤＳの表示パネル全体に表示される第１表示画面（メイン画面）ＭＤと、第１表示画面（メイン画面）ＭＤに重ねられたタッチパネルＴＰに接触入力された線分の表示例を示している。
【００５９】
図４（a）において、第１表示画面（メイン画面）ＭＤを長方形形状とし、第１表示画面（メイン画面）ＭＤの表示位置を特定するために、メイン画面ＭＤの左下位置を原点とし、横方向をＸ軸、縦方向をＹ軸とするＸＹ座標を設定するものとする。
ＸＹ座標の原点を、Ａ０（０，０）とし、Ｘ軸方向の画素数をＸｎ、Ｙ軸方向の画素数をＹｍとすると、メイン画面ＭＤの右下位置は、Ａ１（Ｘｎ，０）、メイン画面ＭＤの右上位置は、Ａ２（Ｘｎ，Ｙｍ）、メイン画面ＭＤの左上位置は、Ａ３（０，Ｙｍ）で表される。
サブ画面ＰＩＰを表示する場合、サブ画面ＰＩＰの表示位置は、このＸＹ座標で表される。
【００６０】
また、図４（a）において、第１表示画面（メイン画面）ＭＤに重ねられたタッチパネルＴＰに対して、ユーザが入力ペンを接触させて、線分を入力した場合の接触履歴１４を示している。接触履歴１４は、表示されたペンの軌跡でもある。
入力ペンの移動方向（接触移動方向）を矢印の方向とすると、たとえば、現在の接触位置Ptiの座標は、（Ｘi，Ｙi）で表される。
ここで、タッチパネルＴＰの接触位置の座標と、メイン画面ＭＤの表示位置の座標とが一対一に対応するとすれば、入力ペンの接触位置Pti（Ｘi，Ｙi）は、表示位置の座標でもある。
【００６１】
図４（b）には、第１表示画面（メイン画面）ＭＤの一部分に表示された第２表示画面（サブ画面）ＰＩＰ１２および近傍領域ＮＦ１３と、第１表示画面（メイン画面）ＭＤに対して入力された線分の接触履歴１４の表示例を示している。
第２表示画面（サブ画面）ＰＩＰ１２を長方形形状とした場合、近傍領域ＮＦ１３は、サブ画面ＰＩＰよりもやや大きい長方形形状とする。
サブ画面ＰＩＰに対応する近傍領域ＮＦの位置も、図４（a）に示したＸＹ座標で表される。
また、図４（b）では、接触履歴１４が示す線分と、現在の接触位置Pti（Ｘi，Ｙi）は、近傍領域ＮＦの外側にあり、この図のようにサブ画面ＰＩＰが入力ペンによる接触入力の邪魔にならない状態では、サブ画面ＰＩＰは、縮小も移動もする必要はない。
【００６２】
図４（c）には、第２表示画面（サブ画面）ＰＩＰ１２および近傍領域ＮＦ１３の位置関係の例を示している。
サブ画面ＰＩＰは、４つの頂点（P0,P1,P2,P3）で囲まれた長方形領域であり、近傍領域ＮＦは、４つの頂点（K0,K1,K2,K3）で囲まれた長方形領域とする。
ここで、サブ画面ＰＩＰの横方向の長さをW0、縦方向の長さをL0とし、近傍領域ＮＦの横方向の長さをW1、縦方向の長さをL1とすると、W1＞W0、L1＞L0である。
また、たとえば、サブ画面位置３５と近傍領域情報３６は、それぞれの長方形領域の４つの頂点のＸＹ座標によって特定される。
【００６３】
表示されるサブ画面ＰＩＰの大きさとその表示位置は、たとえば、表示装置DSに対するユーザの設定より決定される。
また、近傍領域ＮＦの横方向および縦方向の長さは、サブ画面ＰＩＰの横方向および縦方向の長さよりも、たとえば、２０〜４０％程度大きく設定すればよい。ただし、近傍領域ＮＦの横方向および縦方向の長さは、予め固定的に設定してもよいが、メイン画面ＭＤとサブ画面ＰＩＰの大きさやメイン画面MDに入力されている信号の解像度などによっても適正値は異なるので、ユーザが、設定変更できるようにしてもよい。
【００６４】
＜情報表示装置の構成＞
図３に、この発明の情報表示装置の一実施例の構成ブロック図を示す。
図３において、この発明の情報表示装置５０ＤＳは、主として、表示制御部５１，表示パネル５２、操作入力部５３、画像入力部５４、画像処理部５５、通信部５６、表示位置取得部５７、縮小処理部５８、移動処理部５９、記憶部６０を備える。
【００６５】
表示制御部５１は、画像入力部や通信部などの各構成要素の動作を制御する部分であり、主として、ＣＰＵ、ＲＯＭ、ＲＡＭ、Ｉ／Ｏコントローラ、タイマー等からなるマイクロコンピュータによって実現される。
ＣＰＵは、ＲＯＭ等に予め格納された制御プログラムに基づいて、各種ハードウェアを有機的に動作させて、表示装置ＤＳの表示機能、サブ画面ＰＩＰの縮小機能、移動機能、通信機能などを実行する。
【００６６】
表示パネル５２は、画像を表示する部分であり、特にこの発明では、パネル全体に、第１表示画面（メイン画面ＭＤ）を表示し、第１表示画面（メイン画面ＭＤ）の表示領域内に第２表示画面（サブ画面ＰＩＰ）を表示する。
また、表示制御部５１から与えられる表示信号に基づいて、メイン画面ＭＤとサブ画面ＰＩＰの中に、所定の画像を表示する。
表示パネル５２としては、たとえば、液晶パネルや、有機ＥＬパネルが用いられる。
【００６７】
操作入力部５３は、ユーザが、表示パネル５２に表示される画像に対して所定の機能を実行させる操作をする部分であり、たとえば、キーボードやリモコンが用いられる。
【００６８】
画像入力部５４は、パソコンなどの情報処理装置ＰＣから与えられる画像を表示するための映像信号を入力する部分であり、アナログＲＧＢ、ＤＶＩ、ＨＤＭＩ（登録商標）など、所定の映像規格に準拠したインタフェースを持つ。入力される映像信号は、アナログでもデジタルでもよい。
【００６９】
画像処理部５５は、入力された映像信号を、表示パネル５２に表示することのできる信号に変換する部分である。たとえば、サブ画面ＰＩＰに表示すべき画像の映像信号は、予め決められたサブ画面ＰＩＰの表示位置にその画像が表示されるように、調整される。
【００７０】
通信部５６は、上記した第１通信部に相当し、タッチパネルＴＰと通信する部分である。たとえば、記憶部６０に記憶された表示情報６２を、タッチパネルＴＰに送信する。
表示情報６２は、現在表示装置ＤＳに表示されているサブ画面ＰＩＰの表示位置や近傍領域に関する情報である。
また、タッチパネルＴＰから送られてくるサブ画面ＰＩＰの表示位置に関する情報（表示位置取得情報）を受信する。表示位置取得情報は、タッチパネルＴＰで生成された縮小情報や移動情報に相当する。
【００７１】
表示位置取得部５７は、タッチパネルＴＰから送られてくるサブ画面ＰＩＰの表示位置に関する情報（表示位置取得情報）を取得し、記憶部５０に記憶する部分である。
表示位置取得情報には、サブ画面ＰＩＰの縮小後の表示位置に関する情報（縮小情報）や、サブ画面ＰＩＰの移動後の表示位置に関する情報（移動情報）が含まれる。
【００７２】
縮小処理部５８は、取得したサブ画面ＰＩＰの縮小後の表示位置に関する情報（縮小情報）に基づいて、サブ画面ＰＩＰを縮小させる部分である。たとえば、サブ画面ＰＩＰが一度も縮小されたことがない場合は、縮小情報を利用して、サブ画面ＰＩＰの大きさと表示位置を決め、決定された縮小位置に、サブ画面ＰＩＰを縮小させて表示させる。
【００７３】
移動処理部５９は、取得したサブ画面ＰＩＰの移動後の表示位置に関する情報（移動情報）に基づいて、サブ画面ＰＩＰを移動させる部分である。たとえば、サブ画面ＰＩＰが縮小されたことがある場合は、移動情報を利用して、サブ画面ＰＩＰを移動させる表示位置を決め、決定された移動位置に、サブ画面ＰＩＰを移動させて表示させる。
【００７４】
記憶部６０は、上記した第１記憶部に相当し、表示装置ＤＳの各機能を実行するために必要な情報やプログラムを記憶する部分であり、ＲＯＭ、ＲＡＭ、フラッシュメモリなどの半導体記憶素子、ＨＤＤ、ＳＳＤなどの記憶装置、その他の記憶媒体が用いられる。
ＲＯＭには、プログラムが記憶され、ＲＡＭには、一時的に利用される情報が記憶され、フラッシュメモリなどの不揮発性の書き替え可能な記憶素子には、予め設定される情報が記憶される。
【００７５】
記憶部６０には、たとえば、サブ画面初期位置情報６１、表示情報６２、表示位置取得情報６５が記憶される。
また、表示情報６２には、上記したような第２表示画面（サブ画面ＰＩＰ）の表示位置を示すサブ画面位置６３と、近傍領域情報６４とが含まれる。表示位置取得情報６５には、上記したような縮小情報６６、移動情報６７が含まれる。
【００７６】
サブ画面初期位置情報６１は、サブ画面ＰＩＰが最初に表示されたときの表示位置を示す情報である。
サブ画面初期位置情報６１は、サブ画面ＰＩＰを縮小または移動した後、入力ペンの接触入力がされなくなった場合や、ユーザの指示入力などによって、サブ画面ＰＩＰを最初に表示したときの初期状態に戻すときに利用される。
【００７７】
表示情報６２に含まれるサブ画面位置６３と、近傍領域情報６４とは、現在表示装置ＤＳに表示されているサブ画面ＰＩＰに関する情報である。
また、表示位置取得情報６５に含まれる縮小情報６６と移動情報６７は、上記したタッチパネルＴＰで生成される縮小情報３２と移動情報３３に相当する。
【００７８】
＜第２表示画面（サブ画面）の縮小と、表示位置の移動の説明＞
この発明では、上記したような入力ペンの接触履歴１４を利用して、サブ画面ＰＩＰの表示位置および近傍領域と、タッチパネルＴＰの接触位置と接触移動方向との関係から、サブ画面ＰＩＰを縮小させ、さらにサブ画面ＰＩＰを移動させる。
【００７９】
図５に、第２表示画面（サブ画面）の表示位置と接触履歴との関係に基づく第２表示画面の縮小処理の一実施例の説明図を示す。
図６に、第２表示画面（サブ画面）の表示位置と接触履歴との関係に基づく第２表示画面の移動処理の一実施例の説明図を示す。
この実施例では、サブ画面ＰＩＰを縮小させた後に、サブ画面ＰＩＰを移動させるものとするが、図５（c）と図６（a）は、サブ画面ＰＩＰを縮小させた後の同じ状態の説明図を示している。
【００８０】
図５（a）は、表示装置ＤＳ５０の表示画面全体にメイン画面ＭＤ１１を表示し、メイン画面ＭＤの右下領域に、サブ画面ＰＩＰ１２を表示している状態を示している。
また、サブ画面ＰＩＰの表示領域よりもやや大きい近傍領域ＮＦ１３を破線で示している。さらに、メイン画面ＭＤの表示領域の左上部分に入力ペンが接触されて入力が開始され、矢印で示す方向に、入力ペンが接触したまま移動されたとする。線分は、入力ペンの接触履歴１４を示している。
図５（a）では、入力ペンの接触履歴１４は、近傍領域ＮＦのある方向に近づきつつあるが、まだ近傍領域ＮＦの中に入っていないので、サブ画面ＰＩＰは変化なく表示されたままである。
【００８１】
図５（b）は、入力ペンの接触入力が継続され、近傍領域ＮＦ内の左上部分に、接触された状態を示している。この場合、接触位置判定部２６が、接触検出部２５によって取得された接触位置が、近傍領域ＮＦの中に存在すると判定する。
また、表示位置決定部２７が、取得された接触位置が近傍領域ＮＦの中に存在すると判定されたので、接触履歴１４を利用して、サブ画面ＰＩＰを表示する位置を決定する。具体的には、サブ画面ＰＩＰを縮小すべき位置と、移動すべき位置を決定する。ただし、サブ画面ＰＩＰを初期表示した後、まだ一度もサブ画面ＰＩＰを縮小したことがない場合は、サブ画面ＰＩＰを縮小すべき位置だけを決定してもよい。
たとえば、図５（c）に示すように、現在の接触位置から遠ざかる方向であるメイン画面ＭＤの表示領域の右下方向に縮小させるように、サブ画面ＰＩＰの表示位置を決定する。
【００８２】
図７、図８、図９に、接触履歴に基づいて、第２表示画面（サブ画面ＰＩＰ）を縮小した後の表示位置の一実施例の説明図を示す。
ここでは、縮小した後のサブ画面ＰＩＰの３通りの表示位置を示している。
図７（a）に、サブ画面ＰＩＰおよび近傍領域ＮＦを、上下左右方向に４分割した４つの分割領域（ＢＡ１からＢＡ４）を示している。
【００８３】
縮小した後のサブ画面ＰＩＰの表示位置を決める１つの方法として、接触入力された位置が最初に近傍領域ＮＦ内に入ったときに、その接触位置が、近傍領域ＮＦのどの分割領域であるかをチェックし、その接触位置が存在する分割領域の対角方向に縮小する。
【００８４】
たとえば、図７（b）に示すように、接触履歴１４が移動し、近傍領域ＮＦの４つの分割領域のうち、左上の分割領域ＢＡ１に接触位置が入ってきた場合、図７（c）に示すように、分割領域ＢＡ１の対角方向にある分割領域ＢＡ４の方向にサブ画面PIPを縮小表示する。
【００８５】
また、図８（a）には、接触履歴１４が左方向から移動し、近傍領域ＮＦの４つの分割領域のうち、左下の分割領域ＢＡ３に接触位置が入ってきた場合を示している。
この場合は、分割領域ＢＡ３の対角方向は分割領域ＢＡ２なので、図８（b）に示すように、分割領域ＢＡ２の方向にサブ画面PIPを縮小表示する。
【００８６】
このように、接触位置が進入した近傍領域ＮＦの分割領域の対角方向にサブ画面ＰＩＰを縮小すれば、接触履歴１４が、もとのサブ画面ＰＩＰが表示されていた領域の内部方向にさらに移動されたとしても、縮小後のサブ画面ＰＩＰは、接触入力の邪魔にはならず、ユーザは特別な操作をすることがなく、入力を継続させることができる。
【００８７】
また、縮小した後のサブ画面ＰＩＰの表示位置を決める他の方法として、接触履歴情報に含まれる複数の接触位置の情報から、今後接触される位置の進行方向を予測して、接触位置の進行方向とは異なる位置を、所定の大きさに縮小した後のサブ画面ＰＩＰを表示する位置に決定してもよい。
接触履歴情報に含まれる複数の接触位置の情報を時系列的に並べれば、今までの接触履歴１４の進行方向がわかるので、接触履歴１４の今後の進行方向を予測できる。
【００８８】
図９（a）には、接触履歴１４が左上方向から移動し、近傍領域ＮＦの４つの分割領域のうち、左上の分割領域ＢＡ１に接触位置が入ってきた場合を示している。
この場合、接触位置の進入位置は、分割領域ＢＡ１の中であっても、右隣の分割領域ＢＡ２に近い部分であり、接触履歴１４の移動方向が、右斜め下方向なので、接触履歴１４の今後の進行方向は、分割領域ＢＡ２の領域内であると予測できる。
そこで、図９（b）に示すように、接触履歴１４が今後進行する可能性が少ないと考えられる左下の分割領域ＢＡ３の方向に、自動的に、サブ画面ＰＩＰを縮小させる。
【００８９】
このように、接触位置が進入した近傍領域ＮＦの分割領域位置と、接触履歴１４の移動方向をチェックして、接触履歴１４の今後の進行方向を予測することによって、接触履歴１４が今後進行する可能性が少ないと考えられる方向に、サブ画面ＰＩＰを縮小すれば、接触履歴１４が、もとのサブ画面ＰＩＰが表示されていた領域の内部方向にさらに移動されたとしても、縮小後のサブ画面ＰＩＰは、接触入力の邪魔にはならず、ユーザは特別な操作をすることがなく、入力を継続させることができる。
【００９０】
上記した図５（c）に示すように、メイン画面ＭＤの表示領域の右下方向に、自動的にサブ画面ＰＩＰを縮小させることによって、しばらくは、縮小後のサブ画面ＰＩＰに重ならない位置に、入力ペンによる入力操作を継続させることができる。
【００９１】
また、サブ画面ＰＩＰをさらに縮小させることが可能な場合は、図５（c）に示した近傍領域ＮＦに接触位置が入った場合、図５（d）に示すように、メイン画面ＭＤの表示領域のさらに右下方向に、自動的にサブ画面ＰＩＰを縮小させればよい。図５（d）の場合は、図５（a）の初期位置のサブ画面ＰＩＰに対して、２段階の縮小をしたことになる。すなわち、サブ画面ＰＩＰの縮小処理をする場合、決定された縮小位置に、サブ画面ＰＩＰを、段階的に、複数回縮小させて表示してもよい。
【００９２】
ただし、サブ画面ＰＩＰを一度縮小させた後、サブ画面ＰＩＰをさらに縮小させることができないなどの場合は、図６に示すように、サブ画面ＰＩＰを移動させる。
図６（a）は、図５（c）と同様に、サブ画面ＰＩＰを縮小させた後の状態を示している。
この状態からさらに接触履歴１４が右下方向に進行し、図６（a）に示した近傍領域ＮＦに接触位置が入った場合、図６（b）に示すように、今までの接触履歴１４がない領域の方向に、サブ画面ＰＩＰを移動させる。
【００９３】
図１０と図１１に、接触履歴に基づいて、第２表示画面（サブ画面）を移動した後の表示位置の一実施例の説明図を示す。
ここでは、移動後のサブ画面ＰＩＰの２通りの表示位置を示している。
図１０（a）に、メイン画面ＭＤを、上下左右方向に４分割した４つの分割領域（ＢＭ１からＢＭ４）を示している。
また、サブ画面ＰＩＰを、４つの分割領域のうち、右下の分割領域ＢＭ４に表示し、近傍領域ＮＦもこの分割領域ＢＭ４に含まれる状態を示している。
【００９４】
移動後のサブ画面ＰＩＰの表示位置を決める１つの方法としては、接触履歴１４が進入した分割領域を時系列的に記憶しておき、接触履歴１４が進入したことがない分割領域にサブ画面ＰＩＰを移動させる。すなわち、接触履歴情報に含まれる複数の接触位置の情報を利用して、第１表示画面（メイン画面）の表示領域のうち、接触が開始された後今までに接触されたことのない分割領域が存在することを確認した場合は、接触されたことのない分割領域を、サブ画面ＰＩＰを移動する領域に決定する。
あるいは、接触されたことのない分割領域が存在しない場合は、接触された時刻が最も古い分割領域にサブ画面ＰＩＰを移動させればよい。
【００９５】
図１０（a）のように、右下の分割領域ＢＭ４にサブ画面ＰＩＰを表示した状態で、図１０（b）に示すように、メイン画面ＭＤの左上の分割領域ＢＭ１において接触入力が開始され、接触履歴１４が分割領域ＢＭ１から分割領域ＢＭ２に入り、さらに、分割領域ＢＭ４内の近傍領域ＮＦに進入したとする。
この場合、接触履歴１４は、３つの分割領域（ＢＭ１、ＢＭ２、ＢＭ４）を移動しているが、左下の分割領域ＢＭ３には、まだ入ったことがない。
【００９６】
そこで、図１０（c）に示すように、サブ画面ＰＩＰを、接触入力がされたことがない左下の分割領域ＢＭ３に移動させる。このとき、サブ画面ＰＩＰの大きさは変更しない。
このように、接触履歴１４がサブ画面ＰＩＰの近傍領域ＮＦに進入した場合に、接触入力の開始後、まだ接触入力がされたことがない分割領域がある場合は、その分割領域にサブ画面ＰＩＰを移動すれば、接触履歴１４が、もとのサブ画面ＰＩＰが表示されていた分割領域の内部方向にさらに移動されたとしても、移動後のサブ画面ＰＩＰは、接触入力の邪魔にはならず、ユーザは特別な操作をすることがなく、入力を継続させることができる。
【００９７】
また、接触入力の開始後、接触入力がされたことのない分割領域がない場合は、接触履歴１４を時系列的に見て、接触された時刻が最も古い分割領域に、サブ画面ＰＩＰを移動する。これにより、最近接触入力された分割領域から遠ざかり、今後接触入力される可能性が低いと考えられる分割領域に、サブ画面ＰＩＰを移動することができる。
【００９８】
また、移動後のサブ画面ＰＩＰの表示位置を決める他の方法として、接触履歴情報に含まれる複数の接触位置の情報から、今後接触される位置の進行方向を予測して、接触位置の進行方向とは異なる位置を、サブ画面ＰＩＰを移動する位置に決定してもよい。
接触履歴情報に含まれる複数の接触位置の情報を時系列的に並べれば、今までの接触履歴１４の進行方向がわかるので、接触履歴１４の今後の進行方向を予測できる。
【００９９】
図１１（a）には、接触履歴１４が右上の分割領域ＢＭ２内を移動し、右下の分割領域ＢＭ４の上方向から、分割領域ＢＭ４に進入し、分割領域ＢＭ４内の近傍領域ＮＦに接触位置が入ってきた場合を示している。
【０１００】
この場合、接触履歴１４の時系列的な移動方向は、左斜め下方向であるので、接触履歴１４の今後の進行方向も、同様に左斜め下方向であると予測できる。
すなわち、今後、接触履歴１４は、分割領域ＢＭ４から、左下の分割領域ＢＭ３に移動する可能性が高く、左上の分割領域ＢＭ１に移動する可能性は低いと予測される。
したがって、左側の２つの分割領域（ＢＭ１、ＢＭ３）は、どちらもまだ接触入力がされたことがない分割領域であるが、図１１（b）に示すように、左上の分割領域ＢＭ１に、サブ画面ＰＩＰを移動させる。
【０１０１】
このように、接触履歴１４がサブ画面ＰＩＰの近傍領域ＮＦに進入した場合に、接触履歴１４の今後の移動方向を予測し、今後の移動方向にはないと考えられる分割領域にサブ画面ＰＩＰを移動すれば、接触履歴１４が、もとのサブ画面ＰＩＰが表示されていた分割領域の内部方向にさらに移動されたとしても、移動後のサブ画面ＰＩＰは、接触入力の邪魔にはならず、ユーザは特別な操作をすることがなく、入力を継続させることができる。
【０１０２】
上記した図６（b）に示す場合は、接触開始位置が、メイン画面ＭＤの左上の分割領域であり、今までの接触履歴１４の移動方向は右下方向であり、左下の分割領域にはまだ接触入力がされたことがないので、サブ画面ＰＩＰを、接触入力がされたことがない左下の分割領域に移動させる。
この図６（b）に示すように、メイン画面ＭＤの表示領域の左下方向に、自動的にサブ画面ＰＩＰを移動させることによって、しばらくは、移動後のサブ画面ＰＩＰに重ならない位置に、入力ペンによる入力操作を継続させることができる。
【０１０３】
図６（c）および図６（d）は、サブ画面ＰＩＰを、図５（a）の初期位置に、戻す場合を示している。
入力ペンの接触が終了（タッチアップ）した場合は、サブ画面ＰＩＰの表示内容を確認するために、サブ画面ＰＩＰを初期位置に戻したほうが好ましい場合がある。
そこで、サブ画面ＰＩＰが縮小または移動された後に、所定時間以上、接触検出部２５によって、接触位置の情報が取得されなくなった場合に、サブ画面ＰＩＰを、初期位置情報６１を利用して、サブ画面ＰＩＰが最初に表示されていた表示位置に戻す。
【０１０４】
たとえば、図６（b）に示す状態で入力ペンの接触が終了（タッチアップ）され、図６（c）に示すように、入力ペンによって入力された線分が表示された状態で、所定の時間（たとえば、５秒）が経過したとする。
このとき、入力ペンの接触が今後もないと判断し、図６（d）に示すように、サブ画面ＰＩＰを、自動的に、図５（a）の初期位置に戻す。また、サブ画面ＰＩＰの大きさを、図５（a）の初期位置と同じ大きさに戻す。
【０１０５】
このように、入力ペンによる接触入力がなくなった場合は、ユーザが特別な操作をすることなく、入力された情報をメイン画面ＭＤに表示したまま、サブ画面ＰＩＰを初期位置に戻す。
これにより、メイン画面ＭＤに入力された情報の一部がサブ画面ＰＩＰに重なっている場合は、その重なった位置の情報は見ることができなくなるが、サブ画面ＰＩＰに表示されている情報をもとの大きさで確認することができる。
【０１０６】
また、サブ画面ＰＩＰを初期位置に戻す場合に、メイン画面ＭＤに入力された情報の一部がサブ画面ＰＩＰに重なってしまう場合は、ユーザに、入力情報の一部がサブ画面ＰＩＰに重なることを示す警告表示をした後、所定時間が経過した後に、サブ画面ＰＩＰを初期位置に戻すようにしてもよい。警告表示をしている時に、ユーザによって、サブ画面ＰＩＰを初期位置に戻すことを中止する入力がされた場合は、サブ画面ＰＩＰを初期位置に戻さずに、図６（c）の表示のままとしてもよい。
【０１０７】
あるいは、メイン画面ＭＤに入力されたすべての情報と、初期位置のサブ画面ＰＩＰとが重ならない場合に、サブ画面ＰＩＰを初期位置に戻すようにしてもよい。
さらに、メイン画面ＭＤに入力された情報の一部がサブ画面ＰＩＰの初期位置に重なってしまう場合は、メイン画面ＭＤに入力された情報と、もとの大きさのサブ画面ＰＩＰとが重ならない領域が、メイン画面ＭＤ上に存在する場合は、その領域に、サブ画面ＰＩＰを移動してもよい。
【０１０８】
＜位置入力装置（タッチパネル）におけるサブ画面の縮小および移動処理＞
図１２と図１３に、この発明の位置入力装置（タッチパネル）におけるサブ画面の縮小処理等の一実施例のフローチャートを示す。
ここでは、接触位置が、サブ画面ＰＩＰの近傍領域内に存在する場合は、サブ画面ＰＩＰの表示領域の縮小判定処理と移動判定処理の両方をして、縮小情報と移動情報を作成する実施例を示す。ただし、まず、縮小判定処理をして縮小情報を作成し、サブ画面ＰＩＰを縮小した後に、移動判定処理をして移動情報を作成してもよい。
【０１０９】
図１２のステップS1において、入力制御部２１が、接触保存間隔タイマーT1を、タイムアウト状態に設定する。
接触保存間隔タイマーT1は、接触位置を接触履歴情報３１に記憶する期間間隔を計測するタイマーである。接触保存間隔タイマーT1が、タイムアウトするごとに、取得した接触位置の座標情報を、接触履歴情報３１に記憶する。接触保存間隔タイマーT1によって計測する時間は、たとえば、１００ミリ秒である。
【０１１０】
ステップS2において、入力制御部２１が、未接触検出タイマーT2を、停止状態に設定する。
未接触検出タイマーT2は、タッチパネルＴＰに接触されていない継続時間を計測するタイマーである。未接触検出タイマーT2が、タイムアウトした場合に、接触解除情報を表示装置ＤＳに送信し、未接触検出タイマーT2を停止状態に設定する。
【０１１１】
ステップS3において、通信部２３が、表示装置ＤＳから送信される表示情報が受信されるか否かをチェックする。表示情報は、上記したように、サブ画面位置３５と、近傍領域情報３６とを含む情報である。
ステップS4において、表示情報が受信された場合は、ステップS5に進み、そうでない場合は、ステップS6に進む。
ステップS5において、表示情報取得部２４が、受信した表示情報から、サブ画面位置３５と、近傍領域情報３６とを取得し、記憶部３０に記憶する。
これにより、タッチパネルＴＰは、表示装置ＤＳに現在表示されているサブ画面ＰＩＰの表示位置と大きさと、近傍領域の位置と大きさを、認識する。
【０１１２】
ステップS6において、接触検出部２５が、タッチパネルへの接触の有無をチェックする。
ステップS7において、タッチパネルへの接触がある場合は、ステップS8に進み、接触がない場合は、図１３のステップS21に進む。
【０１１３】
ステップS8において、入力制御部２１が、接触された位置の座標情報を取得する。
ステップS9において、接触情報送信部２２が、接触された位置の座標情報を、情報処理装置PCに送信する。
ステップS10において、未接触検出タイマーT2に計測時間の初期値を設定し、起動させる。
【０１１４】
ステップS11において、接触保存間隔タイマーT1が、タイムアウト状態か否かをチェックする。
接触保存間隔タイマーT1が、タイムアウトしている場合は、ステップS12に進み、そうでない場合は、ステップS14に進む。
ステップS12において、取得した接触位置座標情報を、接触履歴情報３１に記憶する。
ステップS13において、接触保存間隔タイマーT1に、計測時間の初期値を設定し、起動させる。
【０１１５】
ステップS14において、接触位置判定部２６が、接触された位置が、記憶されている近傍領域情報３６が示す近傍領域の中にあるか否かをチェックする。
ステップS15において、接触された位置が、近傍領域の中にある場合は、ステップS16に進み、そうでない場合は、ステップS3に戻る。
【０１１６】
ステップS16において、表示位置決定部２７が、サブ画面ＰＩＰの表示領域の縮小判定処理を行い、縮小情報を作成する。ここでは、記憶された接触履歴情報３１を利用して、図７、図８および図９に示したように、サブ画面ＰＩＰを縮小する場合の表示領域を決定し、縮小情報を作成する。縮小情報は、縮小後のサブ画面ＰＩＰの表示位置と近傍領域に関する情報である。
【０１１７】
ステップS17において、表示位置決定部２７が、サブ画面ＰＩＰの表示領域の移動判定処理を行い、移動情報を作成する。ここでは、記憶された接触履歴情報３１を利用して、図１０および図１１に示したように、サブ画面ＰＩＰを移動する場合の表示領域を決定し、移動情報を作成する。移動情報は、移動後のサブ画面ＰＩＰの表示位置と近傍領域に関する情報である。
【０１１８】
ステップS18において、縮小情報通知部と２８と移動情報通知部２９とが、作成された縮小情報と移動情報を、それぞれ表示装置ＤＳに送信する。
その後、ステップS3に戻り、同様の処理を繰り返す。
【０１１９】
図１３のステップS21において、未接触検出タイマーT2が、停止状態か否かをチェックする。
未接触検出タイマーT2が、停止状態でない場合、ステップS22に進み、停止状態の場合、図１２のステップS3に戻る。
ステップS22において、未接触検出タイマーT2が、タイムアウト状態か否かをチェックする。
未接触検出タイマーT2が、タイムアウト状態の場合、ステップS23に進み、そうでない場合、図１２のステップS3に戻る。
【０１２０】
ステップS23において、接触の未接触状態が、所定時間以上継続したことが検出されたので、接触が解除（タッチアップ）されたことを示す接触解除情報を、表示装置ＤＳに送信する。
ステップS24において、未接触検出タイマーT2を、停止状態に設定する。
ステップS25において、接触保存間隔タイマーT1を、タイムアウト状態に設定する。
その後、図１２のステップS3に戻り、同様の処理を繰り返す。
【０１２１】
このように、接触位置を一定時間毎に取得して接触履歴情報３１として記憶し、接触位置がサブ画面ＰＩＰの近傍領域内にあると判断された場合は、接触履歴情報３１を利用して、縮小判定処理と移動判定処理をして、縮小すべき位置および大きさと、移動すべき位置とを決定し、縮小情報と移動情報とを表示装置ＤＳに通知する。
これにより、接触履歴がサブ画面ＰＩＰに近づいてきた場合に、サブ画面ＰＩＰを縮小する場合の縮小すべき位置と、移動すべき位置とが表示装置ＤＳに通知されるので、表示装置ＤＳにおいて、サブ画面ＰＩＰの縮小、あるいは移動が実行される。したがって、ユーザは、入力ペンによる接触入力以外に特別な操作をしなくても、サブ画面ＰＩＰによって入力操作が邪魔されることがなく、入力を継続させることができる。
【０１２２】
＜情報表示装置におけるサブ画面の縮小および移動処理＞
図１４に、この発明の情報表示装置におけるサブ画面の縮小処理等の一実施例のフローチャートを示す。
ここでは、リモコン等を用いたユーザの所定の入力操作によって、表示装置ＤＳに、サブ画面ＰＩＰを、メイン画面ＭＤの一部に表示させる要求が送信されるものとする。
表示装置ＤＳに、サブ画面ＰＩＰを表示している場合において、タッチパネルＴＰから縮小情報と移動情報とが送信されてきた場合に、まず、縮小情報に基づいてサブ画面ＰＩＰを縮小し、サブ画面ＰＩＰがすでに縮小されている場合は、移動情報に基づいてサブ画面ＰＩＰを移動させる。
また、接触が解除（タッチアップ）された場合は、サブ画面ＰＩＰの表示位置を、初期位置に戻す。
【０１２３】
ステップS41において、表示制御部５１が、表示パネル５２の第１表示画面（メイン画面ＭＤ）に、所定の画像を表示させる。この画像は、たとえば、情報処理装置ＰＣから与えられ画像入力部５４から入力される画像信号に基づき、画像処理部５５によって生成される画像である。
ステップS42において、表示制御部５１が、ユーザの所定の入力操作によって、サブ画面ＰＩＰを表示する要求があるか否かをチェックする。サブ画面ＰＩＰの表示要求には、たとえば、サブ画面ＰＩＰの表示位置と大きさに関する情報と、サブ画面ＰＩＰに表示させる画像データが含まれる。
サブ画面ＰＩＰの表示要求が受信された場合は、ステップS43に進み、そうでない場合は、ステップS41に戻る。
【０１２４】
ステップS43において、サブ画面ＰＩＰの表示位置（初期位置情報６１）を、記憶部６０に記憶する。
ステップS44において、サブ画面ＰＩＰの初期位置情報６１を利用して、サブ画面ＰＩＰの近傍領域ＮＦを設定し、近傍領域情報６４として、記憶部６０に記憶する。
ステップS45において、表示制御部５１が、サブ画面ＰＩＰを、表示パネル５２に表示する。
表示されたサブ画面ＰＩＰの現在の表示位置は、サブ画面位置６３として、記憶部６０に記憶される。このサブ画面位置６３と近傍領域情報６４とが、表示情報６２に相当する。
【０１２５】
ステップS46において、縮小モードフラグを、ＯＦＦ（未縮小）に設定する。
縮小モードフラグは、サブ画面ＰＩＰが、縮小されたことがあるか否かを示す情報である。たとえば、サブ画面ＰＩＰが縮小されたことがある場合は、ＯＮ（縮小）を示す情報が設定され、サブ画面ＰＩＰが縮小されたことがまだない場合は、ＯＦＦ（未縮小）を示す情報が設定される。
【０１２６】
ステップS47において、通信部５６が、記憶された表示情報６２を、タッチパネルＴＰに送信する。
ここでは、サブ画面ＰＩＰの初期位置情報６１に相当するサブ画面位置６３と近傍領域情報６４とが、タッチパネルＴＰに送信される。
ステップS48において、タッチパネルＴＰから、接触解除情報を受信したか否かをチェックする。
接触解除情報を受信した場合は、ステップS56に進み、受信しない場合は、ステップS49に進む。
【０１２７】
ステップS49において、表示位置取得部５７が、タッチパネルＴＰから、縮小情報および移動情報を受信したか否かをチェックする。受信した場合は、ステップS50に進み、受信した縮小情報および移動情報を、表示位置取得情報６５として、記憶部６０に記憶する。一方、受信しない場合は、ステップS48に戻る。
ステップS51において、縮小モードフラグが、ＯＮ（縮小）か否かをチェックする。
縮小モードフラグが、ＯＮ（縮小）の場合は、ステップS52に進み、ＯＦＦ（未縮小）の場合は、ステップS54に進む。
【０１２８】
ステップS52において、縮小モードフラグがＯＮ（縮小）であり、すでにサブ画面ＰＩＰを縮小したことがあるので、移動処理部５９が、受信した移動情報に基づいて、サブ画面ＰＩＰを移動させ表示させる。
ステップS53において、移動後のサブ画面ＰＩＰの表示位置６３と、近傍領域情報６４とを含む表示情報６２を、記憶部６０に記憶する。
その後、ステップS60に進み、記憶された表示情報６２を、タッチパネルＴＰに送信する。その後、ステップS48に戻り、同様の処理を繰り返す。
【０１２９】
ステップS54において、縮小モードフラグがＯＦＦ（未縮小）であり、サブ画面ＰＩＰを縮小したことがまだないので、縮小処理部５８が、受信した縮小情報に基づいて、サブ画面ＰＩＰを縮小させ表示させる。
ステップS55において、縮小後のサブ画面ＰＩＰの表示位置６３と、近傍領域情報６４とを含む表示情報６２を、記憶部６０に記憶する。
ステップS56において、縮小モードフラグを、ＯＮ（縮小）に設定する。
その後、ステップS60に進み、記憶された表示情報６２を、タッチパネルＴＰに送信する。その後、ステップS48に戻り、同様の処理を繰り返す。
【０１３０】
ステップS57において、接触解除情報を受信したので、サブ画面ＰＩＰを初期の表示状態に戻す。すなわち、記憶されているサブ画面ＰＩＰの初期位置情報６１に基づいて、サブ画面ＰＩＰを表示する。
ステップS58において、初期の表示状態に戻した後のサブ画面ＰＩＰの表示位置６３と、近傍領域情報６４とを含む表示情報６２を、記憶部６０に記憶する。
ステップS59において、縮小モードフラグを、ＯＦＦ（未縮小）に設定する。
その後、ステップS60に進み、記憶された表示情報６２を、タッチパネルＴＰに送信する。その後、ステップS48に戻り、同様の処理を繰り返す。
【０１３１】
＜その他の実施形態＞
（その他の実施形態１）
上記実施例では、主として、第２表示画面（サブ画面ＰＩＰ）を縮小した後、移動することによって、ユーザの接触入力操作を中断することなく、メイン画面ＭＤに対する接触入力を円滑に継続させるものを示した。
ただし、サブ画面ＰＩＰが表示されていても、メイン画面ＭＤに対する接触入力を円滑に継続することができればよく、上記実施例に限るものではない。
【０１３２】
たとえば、複数回の段階的な縮小処理のみを行って、徐々にサブ画面ＰＩＰを小さくするようにしてもよい。また、予め設定された最大縮小率を用いてサブ画面ＰＩＰを縮小してしまった後に、はじめて移動処理をしてもよい。
また、まず先にサブ画面ＰＩＰの移動を行い、その後、移動した位置で縮小するようにしてもよい。
【０１３３】
さらに、サブ画面ＰＩＰに対する縮小処理と移動処理を交互に複数回行ってもよく、また、縮小処理と移動処理の順序は問わずに、複数回の縮小処理と移動処理を適宜組み合わせてもよい。
また、上記のサブ画面ＰＩＰに対する処理方法について、どの処理方法を利用するかについては、予め設定しておけばよいが、ユーザが、使用する処理方法を、自由に設定変更できるようにしてもよい。
【０１３４】
（その他の実施形態２）
上記実施例では、サブ画面ＰＩＰを縮小した後、移動する実施例を示したが、サブ画面ＰＩＰに対する処理はこれに限るものではない。サブ画面ＰＩＰの表示色を薄くするサブ画面ＰＩＰの透明化処理や、サブ画面ＰＩＰの一時消去処理を組み合わせてもよい。
たとえば、縮小処理、移動処理、透明化処理、および一時消去処理を、この順序で行ってもよい。
【０１３５】
（その他の実施形態３）
上記実施例の図１２，図１３，図１４に示したフローでは、タッチパネルＴＰ側で、縮小位置と移動位置を決定した後、縮小位置と移動位置の両方を、表示装置ＤＳに送信し、表示装置ＤＳ側で、先に縮小処理を行って、その後移動処理を行うものを示したが、これに限るものではない。
たとえば、タッチパネルＴＰ側で、縮小処理と移動処理のうちどちらを行うかを判断し、縮小処理を行うと決めた場合は、縮小位置の情報のみを表示装置ＤＳに送信し、一方、移動処理を行うと決めた場合は、移動位置の情報のみを表示装置ＤＳに送信し、表示装置ＤＳでは、受信した縮小位置の情報または移動位置の情報に基づいて、縮小処理または移動処理を実行すればよい。
【０１３６】
（その他の実施形態４）
上記実施例では、サブ画面ＰＩＰを縮小した後、移動するので、図６（b）に示すように、移動後のサブ画面ＰＩＰの大きさは、縮小したサブ画面ＰＩＰと同じ大きさのものを示したが、これに限るものではない。
たとえば、移動後のサブ画面ＰＩＰの大きさは、サブ画面ＰＩＰが初期位置に表示されていたときと同じ大きさに戻してもよい。また、移動後のサブ画面ＰＩＰの表示位置の周囲の画像等を考慮して、移動後のサブ画面ＰＩＰの大きさを調整してもよい。
【０１３７】
（その他の実施形態５）
上記実施例では、第１表示画面（メイン画面ＭＤ）を、４つの分割領域に分けて、サブ画面ＰＩＰを、４つの分割領域のいずれかに移動させるものを示したが、これに限るものではない。
たとえば、分割領域の数ｎを、５つ以上に設定して、接触履歴情報を利用して、ｎ（＞４）個の分割領域のうち、接触入力を円滑に継続させることのできる分割領域を抽出して、抽出された分割領域に、サブ画面ＰＩＰを移動してもよい。
【０１３８】
（その他の実施形態６）
上記実施例では、所定時間以上、接触入力がなくなった場合に、サブ画面ＰＩＰを、初期表示状態に戻すものを示した。ただし、サブ画面ＰＩＰを、初期表示状態に戻すとき、サブ画面ＰＩＰの初期表示位置に、すでに接触入力によって線分や画像が表示されている場合がある。この場合、初期表示状態に戻す方法としては、たとえば次のような対応のうち、いずれかを行えばよい。
【０１３９】
まず、サブ画面ＰＩＰの初期表示位置に、すでに線分や画像が表示されていたとしても、その線分等に重ねて、サブ画面ＰＩＰを表示させる。
また、サブ画面ＰＩＰを初期表示状態に戻したとすれば、すでに接触入力された線分や画像が重なる場合は、サブ画面ＰＩＰを初期表示状態に戻す前に、ユーザに対して、警告表示や警告音声を用いて、サブ画面ＰＩＰに重なる線分等があることを通知してもよい。
【０１４０】
その後、ユーザにより、サブ画面ＰＩＰを初期表示状態に戻すことを許可しないことを意味する入力があった場合は、サブ画面ＰＩＰを初期表示状態に戻さないようにする。
一方、ユーザにより、サブ画面ＰＩＰを初期表示状態に戻すことを許可することを意味する入力があった場合は、サブ画面ＰＩＰを初期表示状態に戻せばよい。
【０１４１】
また、サブ画面ＰＩＰを初期表示状態に戻したとすれば、すでに接触入力された線分や画像が重なる場合において、メイン画面ＭＤに表示された情報と、初期表示状態の大きさのサブ画面ＰＩＰとが重ならない領域が、メイン画面ＭＤ上に存在する場合は、その領域に、サブ画面ＰＩＰを移動してもよい。
また、サブ画面ＰＩＰを初期表示状態に戻したとすれば、すでに接触入力された線分や画像と重ならない場合のみ、サブ画面ＰＩＰを初期表示状態に戻すようにしてもよい。
【符号の説明】
【０１４２】
１  入力機能付き表示装置、
２  情報処理装置、
１１  第１表示画面（メイン画面）、
１２  第２表示画面（サブ画面）、
１３  近傍領域、
１４  接触履歴、
２０  位置入力装置（タッチパネル）、
２１  入力制御部、
２２  接触情報送信部、
２３  通信部、
２４  表示情報取得部、
２５  接触検出部、
２６  接触位置判定部、
２７  表示位置決定部、
２８  縮小情報通知部、
２９  移動情報通知部、
３０  記憶部、
３１  接触履歴情報、
３２  縮小情報、
３３  移動情報、
３４  表示情報、
３５  サブ画面位置、
３６  近傍領域情報、
５０  情報表示装置、
５１  表示制御部、
５２  表示パネル、
５３  操作入力部、
５４  画像入力部、
５５  画像処理部、
５６  通信部、
５７  表示位置取得部、
５８  縮小処理部、
５９  移動処理部、
６０  記憶部、
６１  サブ画面初期位置情報、
６２  表示情報、
６３  サブ画面位置、
６４  近傍領域情報、
６５  表示位置取得情報
６６  縮小情報、
６７  移動情報
【図１】
2018159843.tif 000003
【図２】
2018159843.tif 000004
【図３】
2018159843.tif 000005
【図４】
2018159843.tif 000006
【図５】
2018159843.tif 000007
【図６】
2018159843.tif 000008
【図７】
2018159843.tif 000009
【図８】
2018159843.tif 000010
【図９】
2018159843.tif 000011
【図１０】
2018159843.tif 000012
【図１１】
2018159843.tif 000013
【図１２】
2018159843.tif 000014
【図１３】
2018159843.tif 000015
【図１４】
2018159843.tif 000016